(57)【要約】  操作性を高めることが可能な技術を提供することを目的とする。タッチパネル付き表示装置１は、画面部品１２を表示する表示画面を有する表示部１１と、表示部１１の表示画面に配設されるタッチパネル１３と、操作決定部１５とを備える。操作決定部１５は、ノブ１４に対する回転操作と、回転操作によって操作される項目に関連する画面部品１２である関連画面部品１２ａに対するタッチ操作とのいずれか一方の、タッチパネル１３における検出を無効にする。
2020008619.tif 000002
【特許請求の範囲】
【請求項１】
画面部品を表示する表示画面を有する表示部と、
前記表示部の前記表示画面に配設されるタッチパネルと
を備え、
前記タッチパネルに対して回転可能なノブが、前記表示画面と逆側に突出して前記タッチパネルに配設可能であり、前記タッチパネルは、当該タッチパネルに対するタッチ操作と、前記ノブに対する回転操作とを検出可能であり、
前記ノブに対する前記回転操作と、前記回転操作によって操作される項目に関連する前記画面部品である関連画面部品に対する前記タッチ操作とのいずれか一方の、前記タッチパネルにおける検出を無効にする操作決定部
をさらに備える、タッチパネル付き表示装置。
【請求項２】
請求項１に記載のタッチパネル付き表示装置であって、
前記関連画面部品は、
前記ノブに対する前記回転操作によって操作される項目と、前記タッチ操作によって操作される項目とが同じである前記画面部品を含む、タッチパネル付き表示装置。
【請求項３】
請求項１に記載のタッチパネル付き表示装置であって、
前記関連画面部品は、
前記ノブに対する前記回転操作によって操作される項目を、前記タッチ操作によって変更するための前記画面部品を含む、タッチパネル付き表示装置。
【請求項４】
請求項２に記載のタッチパネル付き表示装置であって、
前記表示部は、複数の前記画面部品を表示し、
前記表示部は、
前記ノブに対する前記回転操作によって操作される項目と、前記タッチ操作によって操作される項目とが同じである前記画面部品と、それ以外の前記複数の画面部品とを異なる表示形態で表示する、タッチパネル付き表示装置。
【請求項５】
タッチパネル付き表示装置の操作を決定する操作決定方法であって、
前記タッチパネル付き表示装置は、
画面部品を表示する表示画面を有する表示部と、
前記表示部の前記表示画面に配設されるタッチパネルと
を備え、
前記タッチパネルに対して回転可能なノブが、前記表示画面と逆側に突出して前記タッチパネルに配設可能であり、前記タッチパネルは、当該タッチパネルに対するタッチ操作と、前記ノブに対する回転操作とを検出可能であり、
前記操作決定方法は、
前記ノブに対する前記回転操作と、前記回転操作によって操作される項目に関連する前記画面部品である関連画面部品に対する前記タッチ操作とのいずれか一方の、前記タッチパネルにおける検出を無効にする、操作決定方法。
【発明の詳細な説明】
【技術分野】
【０００１】
本発明は、タッチパネル付き表示装置、及び、その操作決定方法に関する。
【背景技術】
【０００２】
近年、タッチパネル付き表示装置について様々な技術が提案されている。例えば、表示画面に対して直接的な回転操作ができるように、物理的な回転式操作子であるノブが配設されたタッチパネル付き表示装置が提案されている。【０００３】
このようなタッチパネル付き表示装置では、ノブに対する回転操作が行われている場合に、操作者のノブを摘まむ指がタッチパネルに意図せずに接触してしまうことがある。そして、この接触が、アイコンなどの画面部品に対するタッチ操作として検出される結果、操作者が意図していなかった動作が装置で行われてしまうという問題があった。【０００４】
この問題を解決するための技術として、特許文献１では、ノブに対する回転操作を検出している場合に、ノブ配設領域を除くタッチパネル全体、または、ノブ配設領域の周辺に対するタッチ操作を無効にする技術が提案されている。
【先行技術文献】
【特許文献】
【０００５】
【特許文献１】特開２０１２−３５７８２号公報
【発明の概要】
【発明が解決しようとする課題】
【０００６】
しかしながら、ノブ配設領域を除くタッチパネル全体に対するタッチ操作を無効にすると、ノブとは無関係の画面部品に対するタッチ操作が行えなくなり、操作性が低下する。また、ノブ配設領域の周辺に対するタッチ操作を無効にすると、無効にされた領域のサイズによっては、依然として操作者が意図していなかったタッチ操作が装置動作に反映されてしまうことがあるという問題があった。【０００７】
そこで、本発明は、上記のような問題点を鑑みてなされたものであり、操作性を高めることが可能な技術を提供することを目的とする。
【課題を解決するための手段】
【０００８】
本発明に係るタッチパネル付き表示装置は、画面部品を表示する表示画面を有する表示部と、表示部の表示画面に配設されるタッチパネルとを備え、タッチパネルに対して回転可能なノブが、表示画面と逆側に突出してタッチパネルに配設可能であり、タッチパネルは、当該タッチパネルに対するタッチ操作と、ノブに対する回転操作とを検出可能であり、ノブに対する回転操作と、回転操作によって操作される項目に関連する画面部品である関連画面部品に対するタッチ操作とのいずれか一方の、タッチパネルにおける検出を無効にする操作決定部をさらに備える。
【発明の効果】
【０００９】
本発明によれば、ノブに対する回転操作と、回転操作によって操作される項目に関連する画面部品である関連画面部品に対するタッチ操作とのいずれか一方の、タッチパネルにおける検出を無効にする。このような構成によれば、操作性を高めることができる。【００１０】
本発明の目的、特徴、態様及び利点は、以下の詳細な説明と添付図面とによって、より明白となる。
【図面の簡単な説明】
【００１１】
【図１】実施の形態１に係るタッチパネル付き表示装置の構成を示すブロック図である。
【図２】実施の形態１に係るタッチパネル付き表示装置を示す平面図である。
【図３】実施の形態１に係るタッチパネル付き表示装置の効果を説明するための平面図である。
【図４】実施の形態２に係るタッチパネル付き表示装置の構成を示すブロック図である。
【図５】実施の形態２に係るタッチパネル付き表示装置を示す平面図である。
【図６】実施の形態２に係るタッチパネル付き表示装置の動作を示すフローチャートである。
【図７】変形例２に係るタッチパネル付き表示装置を示す平面図である。
【図８】その他の変形例に係る操作決定部のハードウェア構成を示すブロック図である。
【図９】その他の変形例に係る操作決定部のハードウェア構成を示すブロック図である。
【発明を実施するための形態】
【００１２】
＜実施の形態１＞
図１は、本発明の実施の形態１に係るタッチパネル付き表示装置１の構成を示すブロック図である。以下、タッチパネル付き表示装置１は、ナビゲーション装置に備えられるものとして説明するが、これに限ったものではなく、例えば携帯電話、スマートフォン、及びタブレットのような携帯端末などに備えられてもよい。
【００１３】
図１のタッチパネル付き表示装置１は、表示部１１と、タッチパネル１３と、操作決定部１５とを備える。
【００１４】
表示部１１は、アイコンなどの画面部品１２を表示する表示画面を有する。画面部品１２は、例えば、ボタン、ゲージ、パネル、テキストブロックなどである。表示部１１は、例えば液晶表示装置などの表示装置である。
【００１５】
タッチパネル１３は、表示部１１の表示画面に配設されており、当該タッチパネル１３に対するタッチ操作を検出可能である。このタッチパネル１３は、例えば静電容量方式のタッチパネルである。
【００１６】
図２は、本実施の形態１に係るタッチパネル付き表示装置１を示す平面図である。ノブ１４は、タッチパネル１３に対して回転可能であり、表示部１１の表示画面と逆側に突出してタッチパネル１３に配設可能である。ノブ１４は、ノブ１４の回転軸から離間された端子などの導電接触部１４ａを備えており、タッチパネル１３は、タッチ操作のタッチ位置の検出と同様にして、当該導電接触部１４ａの位置を検出可能である。これにより、タッチパネル１３は、導電接触部１４ａの回転を、ノブ１４に対する回転操作として検出可能である。上述したように、ノブ１４は、タッチパネル１３に配設可能であり、例えばタッチパネル１３に脱着可能である。なお、以下の説明では、ノブ１４に対する回転操作を「ノブ回転操作」と記すこともある。
【００１７】
操作決定部１５は、タッチパネル１３がノブ回転操作を検出したか否かを判定する。また、操作決定部１５は、タッチパネル１３で検出されたタッチ操作のタッチ位置と、表示部１１に表示されている画面部品１２の位置とに基づいて、タッチパネル１３が画面部品１２に対するタッチ操作を検出したか否かを判定する。
【００１８】
本実施の形態１では、操作決定部１５は、ノブ回転操作と、当該ノブ回転操作によって操作される項目に関連する画面部品１２である関連画面部品に対するタッチ操作とのいずれか一方の、タッチパネル１３における検出を無効にする。つまり、操作決定部１５は、タッチパネル１３がノブ回転操作を検出したと判定した場合には、タッチパネル１３における、関連画面部品に対するタッチ操作の検出を無効にする。一方、操作決定部１５は、タッチパネル１３が関連画面部品に対するタッチ操作を検出したと判定した場合には、タッチパネル１３における、ノブ回転操作の検出を無効にする。
【００１９】
図２の例の関連画面部品１２ａには、ノブ１４に対する回転操作によって操作される項目と、タッチ操作によって操作される項目とが同じである画面部品１２が適用されている。例えば、ノブ回転操作によって操作される項目が音量である場合、関連画面部品１２ａは、タッチ操作によって音量が操作されるゲージの画面部品１２であってもよい。例えば、ノブ回転操作によって操作される項目が地図の縮尺である場合、関連画面部品１２ａは、タッチ操作によって地図の縮尺が操作されるゲージの画面部品１２であってもよい。例えば、ノブ回転操作によって操作される項目がコンテンツ再生などの選択カーソルの移動である場合、関連画面部品１２ａは、タッチ操作によって選択カーソルの移動が操作される図示しないボタンなどの画面部品１２であってもよい。
【００２０】
なお図示しないが、関連画面部品１２ａには、ノブ回転操作によって操作される項目を、タッチ操作によって変更するための画面部品１２が適用されてもよい。例えば、関連画面部品１２ａは、ノブ回転操作によって操作される項目を、音量から地図の縮尺にタッチ操作によって切り替えるボタンなどの画面部品１２であってもよい。
【００２１】
＜実施の形態１のまとめ＞
以上のような本実施の形態１に係るタッチパネル付き表示装置１によれば、ノブ１４に対する回転操作と、当該回転操作によって操作される項目に関連する画面部品１２である関連画面部品に対するタッチ操作とのいずれか一方の、タッチパネル１３における検出を無効にする。このような構成によれば、例えば、音量を上げるためにノブ１４に対する回転操作を行っている際に、音量変更用の画面部品１２に対するタッチ操作を意図せずに行って音量を下げてしまうことを抑制することができる。つまり、図２の状態から図３の状態に遷移することを抑制することができる。
【００２２】
このように、本実施の形態１に係るタッチパネル付き表示装置１によれば、操作者が意図しないタッチ操作または回転操作が装置動作に反映されてしまうことを抑制することができるので、操作性を高めることができる。また、関連画面部品１２ａ以外の画面部品に対するタッチ操作は有効であるため、操作性の低下を抑制することができる。
【００２３】
＜実施の形態２＞
図４は、本発明の実施の形態２に係るタッチパネル付き表示装置１の構成を示すブロック図である。以下、本実施の形態２に係る構成要素のうち、上述の構成要素と同じまたは類似する構成要素については同じ参照符号を付し、異なる構成要素について主に説明する。
【００２４】
図４のタッチパネル付き表示装置１は、表示部１１と、入力部１３ａと、ノブ回転操作検出部１３ｂと、ノブ回転操作項目記憶部１５ａと、画面部品記憶部１５ｂと、操作可否決定部１５ｃと、表示形態加工部１５ｄとを備える。なお、入力部１３ａ及びノブ回転操作検出部１３ｂは、図１のタッチパネル１３に対応し、ノブ回転操作項目記憶部１５ａ、画面部品記憶部１５ｂ、操作可否決定部１５ｃ、及び、表示形態加工部１５ｄは、図１の操作決定部１５に対応する。
【００２５】
表示部１１は、実施の形態１の表示部１１と概ね同じである。入力部１３ａは、タッチ操作を検出可能である。ノブ回転操作検出部１３ｂは、ノブ回転操作を検出可能である。
【００２６】
ノブ１４に対する回転操作によって操作される項目は、表示画面に表示される表示内容ごとに予め規定されている。ノブ回転操作項目記憶部１５ａには、表示内容ごとに、ノブ１４に対する回転操作によって操作される項目が記憶されている。この項目は、例えば、音量、地図の縮尺、選択カーソルの移動などである。
【００２７】
画面部品１２は、表示画面に表示される表示内容ごとに予め規定されている。画面部品記憶部１５ｂには、表示内容ごとに、画面部品１２と、当該画面部品１２に対するタッチ操作によって操作される項目と、現在の表示内容などを含む表示画面の遷移状態とが記憶されている。
【００２８】
操作可否決定部１５ｃは、ノブ回転操作検出部１３ｂの検出結果に基づいて、タッチパネル１３がノブ回転操作を検出したか否かを判定する。操作可否決定部１５ｃは、ノブ回転操作が検出されたと判定した場合に、画面部品記憶部１５ｂに記憶された現在の表示内容に対応する、ノブ回転操作によって操作される項目をノブ回転操作項目記憶部１５ａから取得する。
【００２９】
そして、操作可否決定部１５ｃは、ノブ回転操作項目記憶部１５ａから取得された項目とタッチ操作によって操作される項目が同じである画面部品１２を、関連画面部品１２ａとして画面部品記憶部１５ｂから取得する。また、操作可否決定部１５ｃは、ノブ回転操作によって操作される項目をタッチ操作によって変更するための画面部品１２を、関連画面部品１２ａとして画面部品記憶部１５ｂから取得する。そして、操作可否決定部１５ｃは、タッチパネル１３における、関連画面部品１２ａに対するタッチ操作の検出を無効にする。
【００３０】
なお、以下の説明では、ノブ１４に対する回転操作によって操作される項目と、タッチ操作によって操作される項目とが同じである画面部品１２を「項目同一部品１２ｂ」と記すこともある。本実施の形態２では、関連画面部品１２ａは、この項目同一部品１２ｂと、ノブ回転操作によって操作される項目を、タッチ操作によって変更するための画面部品１２とを含む。
【００３１】
表示形態加工部１５ｄは、項目同一部品１２ｂの表示形態と、項目同一部品１２ｂ以外の複数の画面部品１２の表示形態とを異ならせる。例えば、表示形態加工部１５ｄは、項目同一部品１２ｂ以外の複数の画面部品１２の表示形態を変更せずに、項目同一部品１２ｂの表示形態を、グレーアウト、半透明、枠の強調に変更する。
【００３２】
表示形態加工部１５ｄの機能により、表示部１１は、項目同一部品１２ｂ（ノブ１４に対する回転操作によって操作される項目と、タッチ操作によって操作される項目とが同じである画面部品１２）と、それ以外の複数の画面部品１２とを異なる表示形態で表示する。図５の例では、項目同一部品１２ｂがグレーアウトで表示され、それ以外の複数の画面部品１２が通常の表示形態で表示されている。
【００３３】
＜動作＞
図６は、本実施の形態２に係るタッチパネル付き表示装置１の動作を示すフローチャートである。なお、図６の動作は、ノブ回転操作が検出された場合に開始される。
【００３４】
ステップＳ１にて、操作可否決定部１５ｃは、ノブ回転操作によって操作される項目のうち現在の表示内容に対応する項目を、ノブ回転操作項目記憶部１５ａから取得する。
【００３５】
ステップＳ２にて、操作可否決定部１５ｃは、表示部１１に表示されている画面部品１２であって、タッチ操作によって操作される項目がステップＳ１で取得された項目と同じである画面部品１２を、画面部品記憶部１５ｂから取得できるか否かを判定する。取得できると判定された場合には処理がステップＳ３に進み、取得できないと判定された場合には処理がステップＳ５に進む。
【００３６】
ステップＳ３にて、操作可否決定部１５ｃは、画面部品記憶部１５ｂから取得できるとステップＳ２で判定された画面部品１２を関連画面部品１２ａとして用い、タッチパネル１３における、当該関連画面部品１２ａに対するタッチ操作の検出を無効にする。なお、複数の関連画面部品１２ａがある場合には、操作可否決定部１５ｃは、タッチパネル１３における、当該複数の関連画面部品１２ａのそれぞれに対するタッチ操作の検出を無効にする。
【００３７】
ステップＳ４にて、表示形態加工部１５ｄは、画面部品記憶部１５ｂから取得できるとステップＳ２で判定された画面部品１２を項目同一部品１２ｂとして用い、項目同一部品１２ｂの表示形態と、項目同一部品１２ｂ以外の複数の画面部品１２の表示形態とを異ならせる。その後、処理がステップＳ５に進む。
【００３８】
ステップＳ５にて、操作可否決定部１５ｃは、ノブ回転操作によって操作される項目をタッチ操作によって変更するための別の画面部品１２を、画面部品記憶部１５ｂから取得できるか否かを判定する。取得できると判定された場合には処理がステップＳ６に進み、取得できないと判定された場合には、図６の動作が終了する。
【００３９】
ステップＳ６にて、操作可否決定部１５ｃは、画面部品記憶部１５ｂから取得できるとステップＳ５で判定された画面部品１２を関連画面部品１２ａとして用い、タッチパネル１３における、当該関連画面部品１２ａに対するタッチ操作の検出を無効にする。なお、複数の関連画面部品１２ａがある場合には、操作可否決定部１５ｃは、タッチパネル１３における、当該複数の関連画面部品１２ａのそれぞれに対するタッチ操作の検出を無効にする。その後、図６の動作が終了する。なお、ステップＳ３及びステップＳ６の無効は、ノブ回転操作が検出された時点から一定時間が経過した場合に解除されてもよい。
【００４０】
＜実施の形態２のまとめ＞
以上のような本実施の形態２に係るタッチパネル付き表示装置１によれば、実施の形態１と同様に操作性を高めることができる。また本実施の形態２によれば、項目同一部品１２ｂと、それ以外の複数の画面部品１２とが異なる表示形態で表示される。このため、操作者は、どの画面部品１２が項目同一部品１２ｂであるかを操作前に容易に確認することができる。
【００４１】
＜変形例１＞
図６のステップＳ５において、操作可否決定部１５ｃは、ノブ回転操作によって操作される項目と、表示画面の表示内容との両方をタッチ操作によって変更するための画面部品１２を、画面部品記憶部１５ｂから取得できるか否かを判定してもよい。そして、取得できると判定された場合にステップＳ６の処理と、表示内容の変更処理とが行われてもよい。その際、変更後の表示内容に、ノブ回転操作によって操作される項目が複数存在する場合には、変更前の表示内容に対して設定されていた項目が、変更後の表示内容に対して設定されてもよい。
【００４２】
＜変形例２＞
実施の形態２では、操作可否決定部１５ｃは、タッチパネル１３における、関連画面部品１２ａに対するタッチ操作の検出を無効にしたが、これに限ったものではない。例えば実施の形態１で説明したように、操作可否決定部１５ｃは、タッチパネル１３における、ノブ１４に対する回転操作の検出を無効にしてもよい。この際、図７に示すように、表示部１１は、ノブ１４の設置領域及びその周囲を、通常の表示形態と異なる表示形態で表示してもよい。
【００４３】
＜変形例３＞
実施の形態２では、表示部１１は、項目同一部品１２ｂと、それ以外の複数の画面部品１２とを異なる表示形態で表示した（図５）。この際、表示部１１は、ノブ回転操作によって操作される項目を示す文字を追加して表示してもよい。また、表示部１１は、ノブ１４の設置領域及びその周囲と、項目同一部品１２ｂの枠線とを同じ色で表示するとともに、それらを接続する線を表示してもよい。
【００４４】
＜その他の変形例＞
上述した図１の操作決定部１５は、図８に示す処理回路８１により実現される。すなわち、処理回路８１は、ノブ回転操作と、当該ノブ回転操作によって操作される項目に関連する画面部品１２である関連画面部品１２ａに対するタッチ操作とのいずれか一方の、タッチパネル１３における検出を無効にする操作決定部１５、を備える。処理回路８１には、専用のハードウェアが適用されてもよいし、メモリに格納されるプログラムを実行するプロセッサが適用されてもよい。プロセッサには、例えば、中央処理装置、処理装置、演算装置、マイクロプロセッサ、マイクロコンピュータ、ＤＳＰ（Digital Signal Processor）などが該当する。
【００４５】
処理回路８１が専用のハードウェアである場合、処理回路８１は、例えば、単一回路、複合回路、プログラム化したプロセッサ、並列プログラム化したプロセッサ、ＡＳＩＣ（Application Specific Integrated Circuit）、ＦＰＧＡ（Field Programmable Gate Array）、またはこれらを組み合わせたものが該当する。操作決定部１５の機能それぞれは、処理回路を分散させた回路で実現されてもよいし、各部の機能をまとめて一つの処理回路で実現されてもよい。
【００４６】
処理回路８１がプロセッサである場合、操作決定部１５の機能は、ソフトウェア等との組み合わせにより実現される。なお、ソフトウェア等には、例えば、ソフトウェア、ファームウェア、または、ソフトウェア及びファームウェアが該当する。ソフトウェア等はプログラムとして記述され、メモリに格納される。図９に示すように、処理回路８１に適用されるプロセッサ８２は、メモリ８３に記憶されたプログラムを読み出して実行することにより、操作決定部１５の機能を実現する。すなわち、タッチパネル付き表示装置１は、処理回路８１により実行されるときに、ノブ回転操作と、当該ノブ回転操作によって操作される項目に関連する画面部品１２である関連画面部品１２ａに対するタッチ操作とのいずれか一方の、タッチパネル１３における検出を無効にするステップ、が結果的に実行されることになるプログラムを格納するためのメモリ８３を備える。換言すれば、このプログラムは、操作決定部１５の手順や方法をコンピュータに実行させるものであるともいえる。ここで、メモリ８３は、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disc）、そのドライブ装置等、または、今後使用されるあらゆる記憶媒体であってもよい。
【００４７】
以上、操作決定部１５の各機能が、ハードウェア及びソフトウェア等のいずれか一方で実現される構成について説明した。しかしこれに限ったものではなく、操作決定部１５の一部を専用のハードウェアで実現し、別の一部をソフトウェア等で実現する構成であってもよい。以上のように、処理回路８１は、ハードウェア、ソフトウェア等、またはこれらの組み合わせによって、上述の各機能を実現することができる。
【００４８】
なお、本発明は、その発明の範囲内において、各実施の形態及び各変形例を自由に組み合わせたり、各実施の形態及び各変形例を適宜、変形、省略したりすることが可能である。
【００４９】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【００５０】
１  タッチパネル付き表示装置、１１  表示部、１２  画面部品、１２ａ  関連画面部品、１３  タッチパネル、１４  ノブ、１５  操作決定部。
【図１】
2020008619.tif 000003
【図２】
2020008619.tif 000004
【図３】
2020008619.tif 000005
【図４】
2020008619.tif 000006
【図５】
2020008619.tif 000007
【図６】
2020008619.tif 000008
【図７】
2020008619.tif 000009
【図８】
2020008619.tif 000010
【図９】
2020008619.tif 000011
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
画面部品を表示する表示画面を有する表示部と、
前記表示部の前記表示画面に配設されるタッチパネルと
を備え、
前記タッチパネルに対して回転可能なノブが、前記表示画面と逆側に突出して前記タッチパネルに配設可能であり、前記タッチパネルは、当該タッチパネルに対するタッチ操作と、前記ノブに対する回転操作とを検出可能であり、
前記タッチパネルが前記ノブに対する前記回転操作を検出している場合には、前記回転操作によって操作される項目に関連する前記画面部品である関連画面部品に対する前記タッチ操作の、前記タッチパネルにおける検出を無効にし、前記タッチパネルが前記関連画面部品に対する前記タッチ操作を検出している場合には、前記ノブに対する前記回転操作の、前記タッチパネルにおける検出を無効にする操作決定部
をさらに備える、タッチパネル付き表示装置。
【請求項２】
請求項１に記載のタッチパネル付き表示装置であって、
前記関連画面部品は、
前記ノブに対する前記回転操作によって操作される項目と、前記タッチ操作によって操作される項目とが同じである前記画面部品を含む、タッチパネル付き表示装置。
【請求項３】
請求項１に記載のタッチパネル付き表示装置であって、
前記関連画面部品は、
前記ノブに対する前記回転操作によって操作される項目を、前記タッチ操作によって変更するための前記画面部品を含む、タッチパネル付き表示装置。
【請求項４】
請求項２に記載のタッチパネル付き表示装置であって、
前記表示部は、複数の前記画面部品を表示し、
前記表示部は、
前記ノブに対する前記回転操作によって操作される項目と、前記タッチ操作によって操作される項目とが同じである前記画面部品と、それ以外の前記複数の画面部品とを異なる表示形態で表示する、タッチパネル付き表示装置。
【請求項５】
タッチパネル付き表示装置の操作を決定する操作決定方法であって、
前記タッチパネル付き表示装置は、
画面部品を表示する表示画面を有する表示部と、
前記表示部の前記表示画面に配設されるタッチパネルと
を備え、
前記タッチパネルに対して回転可能なノブが、前記表示画面と逆側に突出して前記タッチパネルに配設可能であり、前記タッチパネルは、当該タッチパネルに対するタッチ操作と、前記ノブに対する回転操作とを検出可能であり、
前記操作決定方法は、
前記タッチパネルが前記ノブに対する前記回転操作を検出している場合には、前記回転操作によって操作される項目に関連する前記画面部品である関連画面部品に対する前記タッチ操作の、前記タッチパネルにおける検出を無効にし、前記タッチパネルが前記関連画面部品に対する前記タッチ操作を検出している場合には、前記ノブに対する前記回転操作の、前記タッチパネルにおける検出を無効にする、操作決定方法。
【手続補正２】
【補正対象書類名】明細書
【補正対象項目名】０００８
【補正方法】変更
【補正の内容】
【０００８】
本発明に係るタッチパネル付き表示装置は、画面部品を表示する表示画面を有する表示部と、表示部の表示画面に配設されるタッチパネルとを備え、タッチパネルに対して回転可能なノブが、表示画面と逆側に突出してタッチパネルに配設可能であり、タッチパネルは、当該タッチパネルに対するタッチ操作と、ノブに対する回転操作とを検出可能であり、タッチパネルがノブに対する回転操作を検出している場合には、回転操作によって操作される項目に関連する画面部品である関連画面部品に対するタッチ操作の、タッチパネルにおける検出を無効にし、タッチパネルが関連画面部品に対するタッチ操作を検出している場合には、ノブに対する回転操作の、タッチパネルにおける検出を無効にする操作決定部をさらに備える。
【国際調査報告】
2020008619.tif 000012
2020008619.tif 000013
2020008619.tif 000014
2020008619.tif 000015